(57)【特許請求の範囲】
【請求項１】
地中に雨水を貯溜する貯溜部を形成し、該貯溜部の四周面の上部にオーバーフロー部を設けると共に、該貯溜部の周囲及び下側に通水用の空隙を有する連結部材を連結し、オーバーフロー部からオーバーフローした雨水が地中に浸透するための通水・透水部を形成した地下貯溜浸透槽において、
上記貯溜部は、連結部材を連結すると共に、その四周面と底面を、四周面の上部に設けたオーバーフロー部を残して遮水シートで被覆することで形成されていることを特徴とする地下貯溜浸透槽。
【請求項２】
貯溜部と通水・透水部の上面を蓋体で覆ったことを特徴とする請求項１に記載の地下貯溜浸透槽。
【請求項３】
通水・透水部を形成する連結部材が、連結部材同士の嵌合による固定手段、若しくは連結部材に設けた係止部・被係止部による固定手段、若しくはボルト及びナットの固定用部材を用いた固定手段、若しくは結合部材を用いた固定手段のいずれか、又は、これらの組合せによって連結されていることを特徴とする請求項１又は請求項２に記載の地下貯溜浸透槽。
【請求項４】
複数の貯溜部が並設されていることを特徴とする請求項１ないし請求項３のいずれかに記載の地下貯溜浸透槽。
【請求項５】
地下貯溜浸透槽の外周面を透水性の被覆材で被覆したことを特徴とする請求項１ないし請求項４のいずれかに記載の地下貯溜浸透槽。
【発明の詳細な説明】
【技術分野】
【０００１】
本発明は、駐車場、公園、宅地などの地下に設けられる地下貯溜浸透槽に関するものである。
【背景技術】
【０００２】
未舗装の道路や空き地が殆どない都市化の進んだ地域では、家屋、駐車場、道路などに降った雨水が地中に浸透することなく、道路の側溝などを通じて河川へ流れ込むため、雨期には大量の雨水が河川へ集中し、短時間で河川の容量を超えて所謂、都市型洪水を引き起こす恐れがある。一方、乾期にはダムや湖の水位が低下して水不足となるため、各地で水道水の給水制限が実施され、庭の植物に充分量の水を与えることも難しくなっている。
【０００３】
このような事情から、駐車場、公園、宅地などの地下に水槽を設けて、雨水を一時貯溜したのち河川などへ徐々に放流するなどして、都市型洪水を防止したり、水槽に貯溜した雨水を汲み上げて、車の洗車や植物の水やりなどに有効利用するようになってきている。
【０００４】
このような地下水槽として、地中に上部が開口したタンク用凹部空間を構成し、該タンク用凹部空間に沿って砕石を配し、該タンク用凹部空間の底部から周側の途中までに非透水性内張層を構成し、且つ、該タンク用凹部空間の内、非透水性内張層の内側及びその上方途中までの空間内に複数の単位骨格部材を充填して空間保持骨格を構成する雨水貯溜浸透タンクが知られている（特許文献１）。
【０００５】
上記雨水貯溜浸透タンクは、雨水貯溜タンク部が満水になったとき、その上側の雨水浸透タンク部から、その周囲に配設された砕石を通じて、徐々に雨水が地中に浸透するようにしたものである。
【０００６】
また、都市型洪水を防止するための地下水槽として、雨水を一時的に貯溜するための第１貯溜槽と、その第１貯溜槽から越流した雨水を貯溜するための第２貯溜槽からなる複合型雨水一時貯溜槽なども知られている（特許文献２）。
【０００７】
上記複合型雨水一時貯溜槽は、第１貯溜槽の貯溜水が設定水位を超えた場合、第１貯溜槽の貯溜水が第２貯溜槽へ流入し、その第２貯溜槽に流入した雨水を地下に浸透するようにして、都市型洪水を防止するようにしたものである。
【特許文献１】特開平９−４１４７０号公報
【特許文献２】特開２００５−１７９９３１号公報
【発明の開示】
【発明が解決しようとする課題】
【０００８】
しかしながら、上記特許文献１の雨水貯溜浸透タンクは、タンク用凹部空間に砕石を配設する際に砕石が崩れ、特に、立ち上がり面において均等に砕石を配設することが困難で施工性が良くない、という問題があった。また、透水層として砕石を用いた場合、雨水が通水できる空隙率が低いため、雨水浸透タンク部からの雨水の流入量が多い場合は、地中に浸透しきれずに、雨水浸透タンク部が満水になって雨水が地表に溢れ出てしまう恐れがあった。
【０００９】
また、上記特許文献２の複合型雨水一時貯溜槽は、第１貯溜槽に溜まった雨水が溢れ出すのを防止するためだけに、別途第２貯溜槽を設ける必要があるため、大規模な埋設スペースが必要で、施工が大がかりなものとなり費用が嵩む、という問題があった。
【００１０】
本発明は上記の問題に鑑みてなされたもので、その解決しようとする課題は、オーバーフローしたときの排水効率が良好なため、小規模でも充分な地下浸透能力を有し、施工も容易な地下貯溜浸透槽を提供することにある。
【課題を解決するための手段】
【００１１】
上記目的を達成するため、本発明に係る地下貯溜浸透槽は、地中に雨水を貯溜する貯溜部を形成し、該貯溜部の四周面の上部にオーバーフロー部を設けると共に、該貯溜部の周囲及び下側に通水用の空隙を有する連結部材を連結し、オーバーフロー部からオーバーフローした雨水が地中に浸透するための通水・透水部を形成した地下貯溜浸透槽において、上記貯溜部は、連結部材を連結すると共に、その四周面と底面を、四周面の上部に設けたオーバーフロー部を残して遮水シートで被覆することで形成されていることを特徴とするものである。
【００１２】
本発明の地下貯溜浸透槽においては、貯溜部と通水・透水部の上面を蓋体で覆ったことが好ましく、通水・透水部を形成する連結部材が、連結部材同士の嵌合による固定手段、若しくは連結部材に設けた係止部・被係止部による固定手段、若しくはボルト及びナットの固定用部材を用いた固定手段、若しくは結合部材を用いた固定手段のいずれか、又は、これらの組合せによって連結されていることがより好ましい。また、複数の貯溜部が並設された地下貯溜浸透槽も好ましく、地下貯溜浸透槽の外周面を透水性の被覆材で被覆することがより好ましい。
【発明の効果】
【００１３】
本発明の地下貯溜浸透槽は、雨水を貯溜する貯溜部の上部にオーバーフロー部を設けて、その貯溜部の周囲及び下側に通水用の空隙を有する連結部材を連結して通水・透水部を形成しているので、貯溜部のオーバーフロー部より下側を貯溜空間として利用でき、貯溜部に対する貯溜容積の割合が非常に大きい。また、豪雨等で貯溜部のオーバーフロー部より雨水がオーバーフローしても、そのオーバーフローした雨水は、通水・透水部へと流れ込んで地下貯溜浸透槽の側面及び底面に行き渡ると共に、通水・透水部から地中に浸透していく。このように通水用の空隙を有する連結部材で通水・透水部を形成すると、従来のように、砕石で通水・透水部を形成したときと比べると空隙率が高いので、満水になって雨水が溢れてしまう恐れがなく、また、立ち上がり面において均等に砕石を配設する必要がないので施工性も良い。
【００１５】
また、貯溜部と通水・透水部の上面を蓋体で覆った地下貯溜浸透槽のように、貯溜部の上面だけではなく、通水・透水部の上面までも蓋体で一体に覆うことで、別途通水・透水部に泥等が侵入するのを防止する手段を講じなくてもいいので、施工性が向上する。
【００１６】
特に、通水・透水部を形成する連結部材が、連結部材同士の嵌合による固定手段、若しくは連結部材に設けた係止部・被係止部による固定手段、若しくはボルト及びナットの固定用部材を用いた固定手段、若しくは結合部材を用いた固定手段のいずれか、又は、これらの組合せによって連結されている地下貯溜浸透槽は、このような手段で連結部材を連結すると、連結部材同士の連結が非常に強固なものとなるため、連結部材同士の連結が外れる心配がなくなる。
【００１７】
また、複数の貯溜部が並設されている地下貯溜浸透槽は、貯溜部を複数設けることで、雨水の貯溜量が遥かに増大し、洗車や植物の水やりなどで大量の雨水を使用しても貯溜した雨水がなくなることが少なくなるので、設置スペースを確保できる場所では、特に好適に施工される。
【００１８】
更に、地下貯溜浸透槽の外周面を透水性の被覆材で被覆した地下貯溜浸透槽は、被覆材で被覆することで、連結部材が周囲の土圧によって傷つくのを防止すると共に、貯溜部及び通水・透水部に土砂が侵入するのを防止することができる。また、透水性の被覆材で被覆するので、雨水が地中に浸透するのを妨げる心配もない。
【発明を実施するための最良の形態】
【００１９】
以下、図面を参照して本発明の具体的な実施形態を詳述する。
【００２０】
図１は本発明の参考形態に係る地下貯溜浸透槽を示す概略断面図、図２は同地下貯溜浸透槽を構成する貯溜部の斜視図、図３は同地下貯溜浸透槽を構成する連結部材の斜視図、図４は同連結部材同士の連結を示すものであって、（ａ）は上下の連結を示す部分斜視図、（ｂ）は左右の連結を示す部分斜視図、図５は同連結部材の側面に取付けられる側板の斜視図であって、（ａ）は側板の天面を示す斜視図、（ｂ）は側板の裏面を示す斜視図、図６は同側板を連結部材に取付け方法を示す部分斜視図である。
【００２１】
本発明の参考形態に係る地下貯溜浸透槽Ｔ１は、駐車場、公園、庭先などの地下に好適に設けられるもので、図１に示すように、雨水を貯溜する貯溜部１Ａと、その貯溜部１Ａの上部に設けられた複数のオーバーフロー部２と、貯溜部１Ａの四周面（前側面、後側面、右側面、左側面）と貯溜部１Ａの底面を囲繞する連結部材３と、その連結部材３によって形成される通水・透水部４と、貯溜部１Ａと通水・透水部４の上面を覆う蓋体５と、地下貯溜浸透槽Ｔ１の外周面を覆う透水性の被覆材６とで構成されている。
【００２２】
上記地下水槽Ｔ１の周囲には側溝８が形成されており、この側溝８の下部には、貯溜部１Ａからオーバーフローした雨水を排出するオーバーフロー管８ａが連結されている。オーバーフロー管８ａの先端にはメッシュ材８ｂが取付けられており、豪雨時など側溝８から逆オーバーフローした雨水が、オーバーフロー管８ａを流れ、該メッシュ材８ｂを通過してゴミ等が取り除かれた綺麗な雨水が、取水点検口９を経路して貯溜部１Ａに流入するようになっている。この取水点検口９には、貯溜部１Ａに溜まった雨水を汲み上げる電動ポンプＰから延びる取水管１０が配設されており、電動ポンプＰによって汲み上げられた雨水を洗車や水やり、トイレ等に利用できるようになっている。また、地下水槽Ｔ１の上部には、地下水槽Ｔ１内部を点検するための直径が２００φ程度の点検口１１が設けられており、その点検口１１から地下水槽Ｔ１を点検、整備できるようになっている。そして、この点検口１１は、流入管１１ａを介して前置桝１２と連結されており、家屋の堅樋（不図示）などに連結された排水管１３から前置桝１２に流入した雨水が、貯溜部１に流入するようになっている。この際、前置桝１２のバスケット部１２ａによって、ゴミを除去することができ、また泥等は前置桝１２下部の泥溜め部に沈殿するので、綺麗な雨水だけが地下水槽Ｔ１に流入するようになっている。
尚、本実施形態では、雨水を汲み上げるのに電動ポンプＰを用いているが、手動ポンプでもよいのは言うまでもない。また、前置桝１２は、建築業界で多く使用されているものであればどのようなものでも構わない。
【００２３】
雨水を貯溜する貯溜部１Ａは、図２に示すように、上部が開口した断面凹型の合成樹脂製の水槽１Ａで、前側面上部、右側面上部、左側面上部、後側面上部にはそれぞれ一定の感覚をあけて複数の孔が穿孔されており、この複数の孔がオーバーフロー部２として作用する。このオーバーフロー部２は、水槽１Ａの上端から０ｃｍ〜２０ｃｍ程度下方に形成されており、このオーバーフロー部２によって、水槽１Ａの貯溜量を上回る大量の雨水が水槽１Ａに流入しても、雨水が後述する通水・透水部４に排出されるようになっている。
【００２４】
上記水槽１Ａの寸法は特に限定されないが、駐車場、公園、庭先などに設置するのが多いことから、幅が０．５ｍ〜５０ｍ、長さが１ｍ〜５０ｍ、深さが０．５ｍ〜３ｍ程度のものが好適に用いられる。水槽１Ａが上記のサイズである場合、雨水のオーバーフロー量を考慮すると、オーバーフロー部２の開口面積の合計が、流入管１１ａの断面積と同等乃至流入管１１ａの断面積の２倍程度であることが望ましい。通常、流入管１１ａの断面積は５０ｃｍ２〜１０００ｃｍ２に設計されるので、オーバーフロー部２の１箇所の開口面積を１００ｍｍ２〜１０００ｍｍ２にすることが好ましい（オーバーフロー部２の数を増やすと、１つあたりのオーバーフロー部２の開口面積が小さ過ぎて水槽１Ａ内のゴミ等による目詰まりの原因ともなり、オーバーフロー部２の数を減らすと、１つあたりのオーバーフロー部２の開口面積が大き過ぎて外部の砕石や土砂が水槽１Ａ内に入り込み易くなる）。
また、この水槽１Ａをコンクリート、金属、ＦＲＰで形成することも可能であるが、本発明の参考形態に係る地下貯溜浸透槽Ｔ１は、後述するように貯溜部１Ａの周囲が非常に強固で、水槽１に直接土圧が掛かりにくいので、ポリプロピレンやポリエチレンなどの合成樹脂で成形された水槽１Ａでも破損する心配はない。
【００２５】
上記水槽１Ａは上部が開口しているので、その上部開口と後述する通水・透水部４の上面を蓋体５で覆っている。この蓋体５として種々のものが考えられるので特に限定はされないが、少なくともその上方からの土圧に耐え得るだけの強度が必要で、例えば、市場に流通している種々の覆蓋や、金属製、コンクリート製、ＦＲＰ製、合成樹脂製の方形板などが好適に使用される。この際、天面に複数の孔を設けるなどして、透水性を持たせた蓋体５であれば、雨水を水槽１Ａに流入させる特別な手段を講じなくても、地表から浸透してきた雨水が水槽１Ａに流入するので好ましい。
尚、水槽１Ａと蓋体５は一体に形成されていてもよい。
【００２６】
上記貯溜部１の四周面の外側と貯溜部１Ａの底面の下側に配設されて貯溜部１を囲繞する連結部材３は、ポリプロピレン等の合成樹脂で射出成形された通水用の空隙を有する空間形成部材で、図３に示すように、梁体３ａの四隅に４本の支持脚３ｂ，３ｂ，３ｂ，３ｂが設けられたものである。
【００２７】
梁体３ａは正方形の板体であり、梁体３ａの側面の隣り合う２面（前側面と右側面）には、連結部材３を左右に連結するための凸型の係合部３ｃがそれぞれ形成されると共に、残りの２面（後側面と左側面）は切り欠かれて、その係合部３ｃと係合する凸型の被係合部３ｄが形成されている。また、梁体３ａの上面の四隅には、支持脚３ｂの下端部を嵌め込むための方形の凹穴３ｅが形成されており、この凹穴３ｅの側面には、支持脚３ｂの下端に形成された係止部３ｆと係止する被係止部３ｇが形成されている。この被係止部３ｇは、支持脚３ｂの係止部３ｆが嵌まり込む開口であって、凹穴３ｅの外側の２面にそれぞれ形成されている。更に、梁体３ａの中央には、オーバーフロー部２からオーバーフローした雨水の流路となる円形の開口部３ｈが形成されており、梁体３ａの四側面には、図５に示す側板７を取付けるための突起３ｉが、一側面に２個ずつ、合計８個形成されている。
【００２８】
上記梁体３ａの四隅に設けられた支持脚３ｂは、中空の角筒状の脚体であって、その下端部には、梁体３ａの凹穴３ｅに設けられた被係止部３ｇと係止する係止部３ｆが形成されている。この係止部３ｆは、支持脚３ｂの下端部を切り欠いて、その切欠部から下方に向って弾性片が形成されて、その弾性片の先端に、上記の被係止部３ｇと係止するための爪部が形成されたものである。
【００２９】
上記構成の連結部材３の寸法は特に限定されるものではないが、運搬性、施工性、強度などを考慮すれば、一辺の長さが５０ｃｍ程度、高さが２５ｃｍ程度、開口部３ｈの内径が２０ｃｍ程度のものが好適に用いられる。また、この連結部材３が、オーバーフローした雨水が地下に浸透するための通水・透水部４を形成するため、連結部材３の空隙率が５０％よりも低いと、砕石と同様に雨水の流路が充分に形成されず、通水・透水部４に一時的に貯溜する雨水の貯溜量も減少するため好ましくない。逆に、空隙率が９８％を超えると、通水・透水部４としての機能は充分なものとなるが、連結部材３の強度が低下するため貯溜部１に負担を強いることになりやはり好ましくない。これらを考慮して、連結部材３の空隙率は５０〜９８％になるように設定するのが好ましい。
尚、本実施形態で用いる連結部材３は、あくまでも一例であり、この連結部材３に限定されるものではなく、後述するような種々の連結部材を用いることもできる。
【００３０】
上記連結部材３を、水槽１Ａの四周面の外側に配設した際、直接土面に接する面と水槽１Ａに接する面には、図５に示す側板７が取付けられる。この側板７は、図５の（ａ）に示すように、方形の板体に多数の通水孔７ａが穿孔されたものであり、その側面には、図６に示すように、連結部材３の突起３ｉに引っ掛けるための開口が設けられた凸部７ｂが形成されていると共に、側板７を連結部材３に取付けた際、連結部材３の係合部３ｃと干渉しないようにするための切欠凹部７ｃが設けられている。また、この側板７は地下貯溜浸透槽Ｔ１の底面にも敷設されるため、図５の（ｂ）に示すように、側板７の裏面の四隅には、連結部材３の支持脚３ｂを載置するための脚体受け口７ｄが設けられている。
【００３１】
図１に示すように、上記の部材から構成される地下貯溜浸透槽Ｔ１の外周面は、透水性の被覆材６で被覆されている。この透水性の被覆材６として、引裂き強度が大きいポリプロピレン繊維等の合成樹脂繊維の不織布や織布が好適に使用され、このような透水性の被覆材６は通水性に優れ、土粒子の侵入を防ぐにもかかわらず、目詰まりをおこしにくく、速やかに雨水を地中に浸透させるといった効果を奏するので好ましい。
【００３２】
次に、前述した部材で、本発明の参考形態に係る地下貯溜浸透槽Ｔ１を構築する施工手順の一例を説明する。
【００３３】
まず、地面Ｇを掘削して、水槽１Ａを埋設するスペースと連結部材３を配設するスペースを確保する。そして、そのスペースの側面及び底面に透水性の被覆材６を敷設する。この際、蓋体５の上面も透水性の被覆材６で被覆するのが好ましいので、敷設する透水性の被覆材６は、折り返して蓋体５の上面を被覆できるだけの余分を持たせておくことが好ましい。
【００３４】
そして、掘削したスペースの底面に側板７を敷設し、その側板７の脚体受け口７ｄの上に連結部材３の支持脚３ｂを載置すると共に、連結部材３を縦方向及び横方向に連結していく。連結部材３を隣接する連結部材３と連結するには、図４の（ｂ）に示すように、一方の連結部材３の被係合部３ｄに、もう一方の連結部材３の係合部３ｃを上方から嵌め込むことで簡単且つ強固に連結される。このようにして掘削したスペースの底面に連結部材３を配設したら、次に、一番外側に位置する連結部材３の上に連結部材３を段積みし、掘削したスペースの四周面に連結部材３を配設していく。連結部材３を上下に連結するには、図４の（ａ）に示すように、上方の連結部材３の支持脚３ｂを、下方に位置する連結部材３の凹穴３ｅに嵌め込んで、上方に位置する連結部材３の係止部３ｆと、下方に位置する連結部材３の被係止部３ｇとを係止することで、強固に連結部材３を連結することができる。そして、上下に連結した連結部材３を、その隣に位置する連結部材３と上記方法で縦方向又は横方向に連結し、掘削したスペースの上面まで連結部材３を段積みする。掘削したスペースの四周面に連結部材３を段積みする際、予め側板７を、連結部材３の直接土面に接する面と水槽１Ａに接する面に取付けておくと、施工性が向上する。側板７は、図６に示すように、凸部７ｂを連結部材３の突起３ｉに引っ掛けるだけで簡単に取付けることができる。
尚、掘削したスペースの四周面に連結部材３を複数列配設してもよいが、本実施形態のように、一列でも充分土圧に耐え得る強度を有するので必要性は低い。また、必ずしも掘削したスペースの底面に連結部材３を配設する必要はないが、底面にも結部材３を配設することで、一時的に貯溜できる雨水量が格段に増えるので、掘削したスペースの底面にも連結部材３を配設することが好ましい。
【００３５】
以上のように、連結部材３を、掘削したスペースの四周面と底面に配設することで、オーバーフローした雨水が地中に浸透するための通水・透水部４が形成される。
【００３６】
次に、水槽１Ａを連結部材３によって形成された箱型空間に設置し、前述した種々の部材（オーバーフロー管８ａ、取水点検口９、電動ポンプＰ、取水管１０、点検口１１等）を配置したのち、水槽１Ａの上部開口と通水・透水部４の上面を蓋体５で覆うと共に、余った透水性の被覆材６を折り返して蓋体５を被覆し、その上方から覆土することで地下貯溜浸透槽Ｔ１が完成する。このように、透水性の被覆材６で蓋体５まで被覆すると、覆土したとき、土や石などによって蓋体５が破損される恐れがなくなるので、できる限り蓋体５の上面も覆うことが好ましい。また、水槽１Ａを連結部材３によって形成された箱型空間に設置する際、掘削したスペースの底面に配設された連結部材３の上に直接載置してもよいが、図１に示すように、水槽１Ａと底面の連結部材３の間に板体７０を挟むと、水槽１Ａをグラつきなく安定して設置することができるので好ましい。
【００３７】
上記の説明から明らかなように、本発明の参考形態に係る地下貯溜浸透槽Ｔ１は、地面を掘削して、その空間に透水性の被覆材６を敷設し、地下貯溜浸透槽Ｔ１の四周面と底面に連結部材３を配設して水槽１Ａを埋設するだけなので、施工が簡単で、且つ、耐圧性、耐久性に優れる。また、地下貯溜浸透槽Ｔ１の四周面及び底面に、空間形成部材である連結部材３を配設してあるので、従来の地下水槽のように、直接貯溜部１に土圧が作用することが殆どなく、水槽１Ａを合成樹脂など成形の容易な材料で形成することができるようになる。そして、豪雨等で水槽１Ａのオーバーフロー部２より雨水がオーバーフローしても、そのオーバーフローした雨水は、側板７の通水孔７ａより通水・透水部４へと移行し、その通水・透水部４を流れて地下貯溜浸透槽Ｔ１の側面及び底面に行き渡りながら、通水・透水部４の流路途中にある側板７の通水孔７ａより透水性の被覆材６を通過し地中に浸透していく。しかも、透水性の被覆材６が、高いフィルター性能を発揮すると共に、耐久性に優れるので、長期間に亘って高い性能を維持することができる。また、オーバーフロー部２より下側を貯溜空間として利用できるので、水槽１Ａに対する貯溜容積の割合が非常に大きい。
【００３８】
尚、前述したように、通水・透水部４を形成する連結部材としては、本実施形態の連結部材３に限定されるものではなく、次に説明する、種々の連結部材を用いて通水・透水部４を形成することもできる。
【００３９】
例えば、図７に示すような連結部材３０でもよい。この連結部材３０は、前述した連結部材３と同様の梁体３ａの四隅に、４本の支持脚３０ｂが設けられたものである。この支持脚３０ｂは、図７、図８の（ａ）に示すように、下方に向うにつれて徐々に縮径された円筒体で、この支持脚３０ｂを、梁体３ａの上面の四隅に形成された差込口３０ｅに差し込んで嵌合させることで、連結部材３０同士を上下に連結できるようになっている。この差込口３０ｅは、支持脚３０ｂの下端の直径よりも若干直径が大きいもので、支持脚３０ｂを差込口３０ｅに差し込むと、上方に向って徐々に拡径する支持脚３０ｂの周面が、差込口３０ｅの内面に接触し、それ以上差し込めない位置で連結部材３０同士が嵌合するようになっている。また、連結部材３０の梁体３ａの四側面全てには、前述した連結部材３と同様の凸型の被係合部３ｄが設けられている。この場合、連結部材３１を縦横に連結しようとしたとき、被係合部３ｄ同士では係合させることができないので、図８の（ｂ）に示すように、Ｈ型の連結駒３ｊを用いて連結することになる。
この連結部材３０のその他の構造は、前述した図１〜図６に示す連結部材３の実施形態と同様であるから、説明を省略する。
【００４０】
以上のような嵌合手段によって連結部材３０同士を上下に連結する連結部材３０も、下方に位置する連結部材３０の差込口３０ｅに、上方に位置する連結部材３０の支持脚３０ｂを差し込むだけで、連結部材３０同士を連結することができるので、施工性が良好である。また、Ｈ型の連結駒３ｊが別途必要となるが、連結部材３０の向きを気にすることなく、連結部材３０同士を縦横に連結することができる、といった利点もある。
【００４１】
また、図９に示すような連結部材３１でもよい。この連結部材３１も、前述した連結部材３と同様の梁体３ａの四隅に、上部の直径に比べて下部の直径が小さい略逆凸型の支持脚３１ｂが４本設けられたもので、梁体３ａの上面の四隅には、内径が該支持脚３１ｂの下部の外径と等しい差込口３１ｅが形成されている。連結部材３１の支持脚３１ｂを差込口３１ｅに差し込んだとき、支持脚３１ｂの下端が差込口３１ｅの下端より幾分下方に突出するように形成されており、その支持脚３１ｂの下端には、ボルト３ｋを挿通するボルト挿通孔３０ｋ，３０ｋが穿孔されている。
【００４２】
上記構成の連結部材３１の上下の連結は、下方に位置する連結部材３１の差込口３１ｅに、上方に位置する連結部材３１の支持脚３１ｂを差し込んで、ボルト挿通孔３０ｋ，３０ｋ，３０ｋ，３０ｋにボルト３ｋを挿通して、反対側からナット３ｌを締め込むことで行われる。
この連結部材３１のその他の構造は、前述した図１〜図６に示す連結部材３の実施形態と同様であるから、説明を省略する。
尚、この連結部材３１を縦横に連結する場合、前述した連結部材３０のようにＨ型の連結駒３ｊを用いてもよいし、前述した連結部材３のように係合部３ｃと被係合部３ｄをそれぞれ設けて、それらを係合させることで連結してもよい。
【００４３】
以上のような固定用部材（ボルト３ｋとナット３ｌ）を用いて連結部材３１同士を上下に連結する連結部材３１は、ボルト３ｋとナット３ｌを用いることで、若干施工性は落ちるが、上下の連結部材３１同士をガタつきなく非常に強固に連結することができるので、連結が外れたりする心配がなくなり、貯溜部１が深い場合に適している。
【００４４】
更に、図１０に示すような連結部材３２でもよい。この連結部材３２は、下端の側面に切欠部と、その切欠部の中に方形の突起体３ｎが形成された角筒状の支持脚３２ｂを、側面に切欠部と、その切欠部の中に方形の突起体３ｏが形成された梁体３ａに直接載置し、突起体３ｎと突起体３ｍを略コ型をした結合部材３ｍで結合し、連結部材３２，３２を上下に連結するものである。
この連結部材３２のその他の構造は、前述した図１〜図６に示す連結部材３の実施形態と同様であるから、説明を省略する。
【００４５】
以上のような結合部材３ｍで連結部材３２同士を上下に連結する連結部材３２も、前述した連結部材３，３０，３１と同様の効果を奏する。
【００４６】
以上のように種々（嵌合による固定手段、連結部材に設けた係止部・被係止部による固定手段、ボルト及びナットの固定用部材を用いた固定手段、結合部材を用いた固定手段）の連結部材を説明してきたが、土圧から水槽１Ａを保護するだけの剛性と、外れないような連結ができるものであれば、連結部材はこれらの形態に限定されるものではなく、また、これらを組合せて用いることもできる。
【００４７】
図１１は本発明の一実施形態に係る地下貯溜浸透槽を示す一部破断図である。
【００４８】
この実施形態の地下貯溜浸透槽Ｔ２は、図１１に示すように、地面Ｇを掘削したスペースに前述した透水性の被覆材６を敷設し、その掘削したスペースの四周面と底面に前述した要領で連結部材３を配設し、連結部材３の貯溜部１Ｂ側の面に板体７０を取付けて、その板体７０の上からゴムシートなどの遮水シートＳを敷設することで貯溜部１Ｂを形成したものである。このとき、透水性の被覆材６は、前述した地下水槽Ｔ１と同様に、折り返して貯溜部１Ｂと通水・透水部４の上面を被覆できるだけの余分を持たせて敷設することが好ましい。また、遮水シートＳは、貯溜部１Ｂの上端ぎりぎりまで被覆しないで、雨水がオーバーフローするだけのスペースを確保するため、上部を少し残して被覆する。このように、貯溜部１Ｂの上部を少し残して遮水シートＳを敷設することで、遮水シートＳ上端から貯溜部１Ｂの上面までが雨水を排水するオーバーフロー部２０となる。このオーバーフロー部２０からオーバーフローした雨水は、前述した地下水槽Ｔ１と同様に、通水・透水部４を流れて、地下貯溜浸透槽Ｔ２の側面及び底面に行き渡りながら、通水・透水部４の流路途中にある側板７の通水孔７ａより透水性の被覆材６を通過し地中に浸透していくので、排水効率が非常に高く、地下貯溜浸透槽Ｔ２から雨水が溢れ出す心配がない。
【００４９】
本実施形態の地下貯溜浸透槽Ｔ２は、上記のように構成された貯溜部１Ｂの内側を補強するため、前述した連結部材３を用いる。
【００５０】
即ち、連結部材３で貯溜部１Ｂを補強するには、まず、図４の（ｂ）に示すように、梁体３ａに形成された係合部３ｃと被係合部３ｄとを係合させて、連結部材３を縦横に連結していく。次いで、図４の（ａ）に示すように、支持脚３ｂの係止部３ｆと凹穴３ｅの被係止部３ｇとを係止して、連結部材３を上下に連結する。この作業を繰り返すことで、貯溜部１Ｂは補強される。
尚、貯溜部１Ｂの内側を補強する連結部材として、上記連結部材３やその他の連結部材３０，３１，３２を用いても勿論構わないが、本発明の地下貯溜浸透槽Ｔ２は、周囲が非常に強固であるため、図示はしていないが、複数のパイプを６方向（上、下、左、右、前、後）に接続口を有するジョイントに接続することで貯溜部１Ｂ内を補強することも可能である。
【００５１】
上記のように、連結部材３で貯溜部１Ｂの補強が終わると、貯溜部１Ｂと通水・透水部４の上面を蓋体５で覆い、その上から覆土することで地下貯溜浸透槽Ｔ２が完成する。
この地下貯溜浸透槽Ｔ２のその他の構造は、前述した図１〜図６に示す実施形態の地下貯溜浸透槽Ｔ１と同様であるから、説明を省略する。
【００５２】
以上のような構成の地下貯溜浸透槽Ｔ２は、連結部材３が上方からの荷重に対して非常に強いので、荷重が非常にかかる場所（駐車場の下など）に適している。
【００５３】
図１２は本発明の他の参考形態に係る地下貯溜浸透槽の概略断面図である。
【００５４】
上記地下貯溜浸透槽Ｔ２は、上方からの荷重に対して非常に強いので、駐車場などに設置するのに適しているが、貯溜部１Ｂの内側を連結部材３で補強する手間が必要となるため、施工性が若干落ちる。本発明の地下貯溜浸透槽は、前述したように、貯溜部１の周囲を連結部材３で囲繞しているので、非常に強固で、通常の使用であれば破損する恐れはない。特に、庭先などに地下貯溜浸透槽を設ける場合は、上記地下貯溜浸透槽Ｔ２のような強度は求められないので、庭先などに地下貯溜浸透槽を設ける場合は、次に説明する地下貯溜浸透槽Ｔ３が好適に用いられる。
【００５５】
この地下貯溜浸透槽Ｔ３は、前述した地下貯溜浸透槽Ｔ２の貯溜部１Ｂの内側を補強している連結部材３を取り除いて、貯溜部１Ｃとオーバーフロー部２１を形成したものである。
この地下貯溜浸透槽Ｔ３のその他の構造は、前述した図１１に示す実施形態の地下貯溜浸透槽Ｔ２と同様であるから、説明を省略する。
【００５６】
以上のような地下貯溜浸透槽Ｔ３は、前述した地下貯溜浸透槽Ｔ２と比較すると、若干強度面で劣る部分はあるが、庭先などに施工する分には強度的にも充分であるにもかかわらず、施工が容易で、費用を抑えることもできる。
【００５７】
図１３は本発明の更に他の参考形態に係る地下貯溜浸透槽の概略断面図である。
【００５８】
この実施形態の地下貯溜浸透槽Ｔ４は、前述した地下貯溜浸透槽Ｔ１を構成する水槽１Ａを複数（本実施形態では２つ）並設したものである。この水槽１Ａと水槽１Ａの間には、連結部材３が配設されており、通水・透水部４が形成されている。
この地下貯溜浸透槽Ｔ４のその他の構造は、前述した図１〜図６に示す実施形態の地下貯溜浸透槽Ｔ１と同様であるから、説明を省略する。
尚、雨水を貯溜する貯溜部として、水槽１Ａに限定されるものではなく、前述した貯溜部１Ｂ，１Ｃでもよいことはいうまでもない。
【００５９】
以上のような構成の地下貯溜浸透槽Ｔ４は、貯溜部１Ａを複数設けることで、雨水の貯溜量が遥かに増大し、洗車や植物の水やりなどで大量の雨水を使用しても貯溜した雨水がなくなることが少なくなるので、設置スペースを確保できる場所に設置するのに適している。
【図面の簡単な説明】
【００６０】
【図１】本発明の参考形態に係る地下貯溜浸透槽を示す概略断面図である。
【図２】同地下貯溜浸透槽を構成する貯溜部の斜視図である。
【図３】同地下貯溜浸透槽を構成する連結部材の斜視図である。
【図４】同連結部材同士の連結を示すものであって、（ａ）は上下の連結を示す部分斜視図、（ｂ）は左右の連結を示す部分斜視図である。
【図５】同連結部材の側面に取付けられる側板の斜視図であって、（ａ）は側板の天面を示す斜視図、（ｂ）は側板の裏面を示す斜視図である。
【図６】同側板を連結部材に取付け方法を示す部分斜視図である。
【図７】同地下貯溜浸透槽を構成する連結部材の他の実施形態を示す斜視図である。
【図８】同連結部材同士の連結を示すものであって、（ａ）は上下の連結を示す断面図、（ｂ）は左右の連結を示す部分斜視図である。
【図９】同地下貯溜浸透槽を構成する連結部材の更に他の実施形態の連結を示す断面図である。
【図１０】同地下貯溜浸透槽を構成する連結部材の更に他の実施形態の連結を示す部分斜視図である。
【図１１】本発明の一実施形態に係る地下貯溜浸透槽を示す一部破断図である。
【図１２】本発明の他の参考形態に係る地下貯溜浸透槽を示す概略断面図である。
【図１３】本発明の更に他の参考形態に係る地下貯溜浸透槽を示す概略断面図である。
【符号の説明】
【００６１】
Ｔ１，Ｔ２，Ｔ３，Ｔ４  地下貯溜浸透槽
１Ａ  貯溜部（水槽）
１Ｂ，１Ｃ  貯溜部
２，２０，２１  オーバーフロー部
３，３０，３１，３２  連結部材
３ａ  梁体
３ｂ，３０ｂ，３１ｂ，３２ｂ  支持脚
３ｃ  係合部
３ｄ  被係合部
３ｅ  凹穴
３０ｅ，３１ｅ  差込口
３ｆ  係止部
３ｇ  被係止部
３ｈ  開口部
３ｉ  突起
３ｊ  Ｈ型の連結駒
３ｋ  ボルト
３０ｋ  ボルト挿通孔３０
３ｌ  ナット
３ｍ  結合部材
３ｎ，３ｏ  突起体
４    通水・透水部
５    蓋体
６    透水性の被覆材
７    側板
７ａ  通水孔
７ｂ  凸部
７ｃ  切欠凹部
７ｄ  脚体受け口
８    側溝
８ａ  オーバーフロー管
８ｂ  メッシュ材
９    取水点検口
１０  取水管
１１  点検口
１１ａ  流入管
１２  前置桝
１２ａ  バスケット部
１３  排水管
Ｐ    電動ポンプ
Ｓ    遮水シート
【図１】
0005117932.tif 000002
【図２】
0005117932.tif 000003
【図３】
0005117932.tif 000004
【図４】
0005117932.tif 000005
【図５】
0005117932.tif 000006
【図６】
0005117932.tif 000007
【図７】
0005117932.tif 000008
【図８】
0005117932.tif 000009
【図９】
0005117932.tif 000010
【図１０】
0005117932.tif 000011
【図１１】
0005117932.tif 000012
【図１２】
0005117932.tif 000013
【図１３】
0005117932.tif 000014